(57)【要約】【課題】年配者でもインターネットを利用して写真の焼付けの注文が家に居ながら容易に行えるようにする。【解決手段】子が子宅コンピュータ２を操作して写真記憶媒体３の写真データをインターネット１２でフォトサーバー１０に送信し、フォトサーバー１０が写真データを子から送信された写真データを顧客データベース１１に記録し、親が子から送られた無線通信モジュール２１と電子写真立て３５とかなる写真注文端末装置の電源プラグ４０を電源コンセントに挿すと、フォトサーバー１０が顧客データベース１１に存在する写真データを無線通信モジュール２１に送信すると、電子写真立て３５がフォトサーバー１０からダウンロードした写真データをスライドショー表示し、その表示が親の欲しい１つの画像になった場合、親が注文スイッチ４２を押すと、ＤＰＥ店７がフォトサーバー１０から送信された写真データから写真を作成する。【選択図】図１
2010109489.tif 000002
【特許請求の範囲】
【請求項１】
写真を提供する供給者の自宅に写真記憶媒体の写真データをインターネットでフォトサーバーに送信するために設置されたコンピュータと、この供給者のコンピュータから送信された写真データを供給者に対して割り当てられた顧客割当区域の顧客データベースに記録するフォトサーバーと、供給者からの依頼で写真の提供を受ける受給者に送る写真注文端末装置を販売する販売店に当該写真注文端末装置を特定するための情報をインターネットでフォトサーバーに送信するために設置されたコンピュータと、供給者から受給者に送られた写真注文端末装置から写真転送開始がインターネットでフォトサーバーに送信されることによってフォトサーバーからインターネットで送信された写真データをスライドショー表示するために写真注文端末装置に設けられたディスプレイと、ディスプレイに表示された写真データの画像の焼付けを注文するために写真注文端末装置に設けられた注文スイッチと、受給者による注文スイッチからの注文情報をインターネットで受信したフォトサーバーの顧客データベースから注文情報に対応して抽出された写真データをインターネットで受信するためにＤＰＥ店に設置されたコンピュータと、このコンピュータによって駆動されることによって当該コンピュータで受信した写真データを印画紙に焼き付けて写真を作成するための焼付機とを備えたことを特徴とするフォトサービスシステム。
【請求項２】
写真を提供する供給者が販売店で購入した写真注文端末装置を写真の提供を受ける受給者に送るとともに写真を提供する供給者の自宅に設置されたコンピュータによって写真記憶媒体の写真データをインターネットでフォトサーバーに送信し、このフォトサーバーが受信した供給者からの写真データを供給者に対して割り当てられた顧客割当区域の顧客データベースに記録し、受給者に送られた写真注文端末装置が写真転送開始をインターネットでフォトサーバーに送信することによって、フォトサーバーが写真データをインターネットで写真注文端末装置に送信し、この写真注文端末装置のディスプレイがフォトサーバーから送信された写真データをスライドショー表示し、受給者がディスプレイにスライドショー表示される写真を見ていてディスプレイの表示画像が受給者の欲しい写真データの１つの画像になった場合に受給者が写真注文端末装置の注文スイッチを押すことによって、フォトサーバーが顧客データベースから上記注文スイッチからの注文情報に対応する写真データを抽出してインターネットでＤＰＥ店のコンピュータに送信し、このＤＰＥ店のコンピュータが焼付機を制御し、焼付機がフォトサーバーから送信された写真データを印画紙に焼き付けて写真を作成することを特徴とするフォトサービス方法。
【請求項３】
請求項１または請求項２に使用される写真注文端末装置であって、インターネットを利用してフォトサーバーと無線通信を行う機能と、フォトサーバーからインターネットで送信された写真データをスライドショー表示するディスプレイと、ディスプレイに表示された写真データの画像の焼付けを注文する注文スイッチとを備えたことを特徴とする写真注文端末装置。
【請求項４】
インターネットを利用してフォトサーバーと無線通信を行う機能が、アンテナや送受信部およびモジュール制御部を有する無線通信モジュールと、無線通信モジュールを抜き差し可能とした電子写真立てと、電子写真立てに無線通信モジュールが挿入されることによってモジュール制御部を制御する端末制御部とを備えたことを特徴とする請求項３記載の写真注文端末装置。
【発明の詳細な説明】
【技術分野】
【０００１】
本発明は、インターネットを利用して写真の焼付けの注文が家に居ながら容易に行えるフォトサービスシステムとフォトサービス方法およびそれに使用する写真注文端末装置に関する。
【背景技術】
【０００２】
図９は、従来のデジタルカメラで撮影した場合のフォトサービスシステムを示す。図９では、顧客が撮影した写真データの記録された写真記憶媒体３をデジタルカメラから取り出してＤＰＥ店７に持参して焼付けを注文するか、あるいは、顧客が自宅において上記写真記憶媒体３を装填したコンピュータ７１を操作して写真記憶媒体３の写真データをインターネット１２でフォトサーバー１０に送信することによってＤＰＥ店７に焼付けを注文している。上記フォトサービスシステムのフォトサービスを要約すると、図１０に示すように、顧客がＤＰＥ店７に写真の焼付けを注文し、顧客が焼付けの出来上がった写真をＤＰＥ店７に受け取りに行くようなっている。しかしながら、例えば、子が自分の親や親戚などに自分の子供の写真（親から見れば孫の写真）を渡す場合、上記顧客である子がＤＰＥ店７に焼付けを注文して受け取った写真を親や親戚に郵送しなければならない。このため、親や親戚は、自分の欲しい子や孫達あるいは親戚の写真を容易に入手できないという欠点があった。
【特許文献１】特開２００４−２９５０３３号公報
【特許文献２】特開２００２−３５４３８４号公報
【発明の開示】
【発明が解決しようとする課題】
【０００３】
発明が解決しようとする問題点は、写真の提供を受ける受容者たる親や親戚が自分の欲しい子や孫達あるいは親戚の写真を容易に入手できないという点である。
【課題を解決するための手段】
【０００４】
本発明に係るフォトサービスシステムは、写真を提供する供給者の自宅に写真記憶媒体の写真データをインターネットでフォトサーバーに送信するために設置されたコンピュータと、この供給者のコンピュータから送信された写真データを供給者に対して割り当てられた顧客割当区域の顧客データベースに記録するフォトサーバーと、供給者からの依頼で写真の提供を受ける受給者に送る写真注文端末装置を販売する販売店に当該写真注文端末装置を特定するための情報をインターネットでフォトサーバーに送信するために設置されたコンピュータと、供給者から受給者に送られた写真注文端末装置から写真転送開始がインターネットでフォトサーバーに送信されることによってフォトサーバーからインターネットで送信された写真データをスライドショー表示するために写真注文端末装置に設けられたディスプレイと、ディスプレイに表示された写真データの画像の焼付けを注文するために写真注文端末装置に設けられた注文スイッチと、受給者による注文スイッチからの注文情報をインターネットで受信したフォトサーバーの顧客データベースから注文情報に対応して抽出された写真データをインターネットで受信するためにＤＰＥ店に設置されたコンピュータと、このコンピュータによって駆動されることによって当該コンピュータで受信した写真データを印画紙に焼き付けて写真を作成するための焼付機とを備えたことを最も主要な特徴とする。本発明に係るフォトサービス方法は、写真を提供する供給者が販売店で購入した写真注文端末装置を写真の提供を受ける受給者に送るとともに写真を提供する供給者の自宅に設置されたコンピュータによって写真記憶媒体の写真データをインターネットでフォトサーバーに送信し、このフォトサーバーが受信した供給者からの写真データを供給者に対して割り当てられた顧客割当区域の顧客データベースに記録し、受給者に送られた写真注文端末装置が写真転送開始をインターネットでフォトサーバーに送信することによって、フォトサーバーが写真データをインターネットで写真注文端末装置に送信し、この写真注文端末装置のディスプレイがフォトサーバーから送信された写真データをスライドショー表示し、受給者がディスプレイにスライドショー表示される写真を見ていてディスプレイの表示画像が受給者の欲しい写真データの１つの画像になった場合に受給者が写真注文端末装置の注文スイッチを押すことによって、フォトサーバーが顧客データベースから上記注文スイッチからの注文情報に対応する写真データを抽出してインターネットでＤＰＥ店のコンピュータに送信し、このＤＰＥ店のコンピュータが焼付機を制御し、焼付機がフォトサーバーから送信された写真データを印画紙に焼き付けて写真を作成することを最も主要な特徴とする。本発明に係る写真注文端末装置は、上記フォトサービスシステムまたはフォトサービス方法に使用される写真注文端末装置であって、インターネットを利用してフォトサーバーと無線通信を行う機能と、フォトサーバーからインターネットで送信された写真データをスライドショー表示するディスプレイと、ディスプレイに表示された写真データの画像の焼付けを注文する注文スイッチとを備えたことを最も主要な特徴とする。本発明に係る写真注文端末装置では、インターネットを利用してフォトサーバーと無線通信を行う機能が、アンテナや送受信部およびモジュール制御部を有する無線通信モジュールと、無線通信モジュールを抜き差し可能とした電子写真立てと、電子写真立てに無線通信モジュールが挿入されることによってモジュール制御部を制御する端末制御部とを備えていてもよい。
【発明の効果】
【０００５】
本発明に係るフォトサービスシステムとフォトサービス方法および写真注文端末装置によれば、受給者が供給者から送られた写真注文端末装置がフォトサーバーの顧客割当区域の顧客データベースに存在する写真データをフォトサーバーからダウンロードしてスライドショー表示し、そのスライドショー表示される写真が親の欲しい写真データの１つの画像になった場合、受給者が注文スイッチを押すことによって、ＤＰＥ店がフォトサーバーから送信された写真データから写真を作成するので、受給者が難しい操作を行うことなく、受給者が注文スイッチを押すだけで自分の欲しい写真をＤＰＥ店で受け取ることできるという利点がある。本発明に係る写真注文端末装置のインターネットを利用してフォトサーバーと無線通信を行う機能が、アンテナや送受信部およびモジュール制御部を有する無線通信モジュールと、無線通信モジュールを抜き差し可能とした電子写真立てと、電子写真立てに無線通信モジュールが挿入されることによってモジュール制御部を制御する端末制御部とを備えていれば、電子写真立てのディスプレイの周りの形状が別の形状に構成されたものを使用することができるという利点がある。
【発明を実施するための最良の形態】
【０００６】
図１は、フォトサービスシステムを示す。図２は、無線通信モジュール２１と電子写真立て３５とかなる写真注文端末装置を示す。図３乃至図７は、子が親に孫の写真を提供するフォトサービス方法を示す。図８は、顧客データベース１１とディスプレイ３８との表示処理の関係を示す。以下の説明において、写真を提供する供給者を子と称し、写真の提供を受ける受給者を親と称し、子の自宅を子宅１と称し、子宅１に設置したコンピュータを子宅コンピュータ２と称し、販売店４に設置したコンピュータを販売店コンピュータ５と称し、ＤＰＥ店７に設置したコンピュータをＤＰＥ店コンピュータ８と称し、親の自宅を親宅１４と称し、Ｗ−ＳＩＭを無線通信モジュール２１と称し、ＰＳＩＤをモジュール固体識別番号２９と称する。
【０００７】
図１を参照し、フォトサービスシステムについて、無線通信モジュール２１を電子写真立て３５に抜き差し可能とした態様の写真注文端末装置を利用し、子から親に孫などの写真を提供する場合を例として説明する。写真注文端末装置としては、無線通信モジュール２１が電子写真立て３５に内蔵された態様であってもよいが、その場合、電子写真立て３５は写真注文端末装置そのものになる。写真注文端末装置のインターネット１２を利用してフォトサーバー１０と無線通信を行う機能は、無線通信モジュール２１およびそれを制御する端末制御部４３（図２参照）により構成される。ＤＰＥ店７には、印画紙に写真を焼き付ける焼付機９も設置される。
【０００８】
このフォトサービスシステムは、子宅コンピュータ２と販売店コンピュータ５とＤＰＥ店コンピュータ８とフォトサーバー１０と固定基地局１３とがインターネット１２でデータ通信を行えるように接続される。販売店４で販売される写真注文端末装置の無線通信モジュール２１は、無線通信モジュール２１の製造段階で無線通信モジュール２１に付与された変更不可能な識別情報として、ＰＳＩＤ（以下、モジュール固体識別番号２９という）を備える。
【０００９】
そして、子が販売店４で無線通信モジュール２１と電子写真立て３５とからなる写真注文端末装置を購入して親宅１４に送付する。販売店４で写真注文端末装置を子に販売する場合、販売店コンピュータ５によってモジュール固体識別番号２９や顧客情報１５が販売店４からフォトサーバー１０にインターネット１２で送信される。自電話番号３１や注文連絡先、モジュール固体識別番号２９や顧客情報１５については、図３のステップ２０２の説明において詳述する。
【００１０】
一方、フォトサーバー１０は、販売店コンピュータ５から送信された顧客情報１５によってフォトサーバー１０のデータ記憶装置に顧客割当区域（郵便制度の私書箱に相当する）を設け、その顧客割当区域に顧客データベース１１を作り、子宅コンピュータ２に顧客データベース１１の創設されたことをインターネット１２で返信する。
【００１１】
その後、子がデジタルカメラなどのデジタル写真機器で撮影した写真データの記録された写真記憶媒体３を子宅コンピュータ２に装填する。その状態において、子が子宅コンピュータ２を操作して写真記憶媒体３の写真データおよび子識別情報をインターネット１２でフォトサーバー１０に送信する。これに伴い、フォトサーバー１０が送信された子識別情報からフォトサーバー１０における顧客割当区域の顧客データベース１１を選択し、その顧客データベース１１に上記子から送信された写真データを記録する。子識別情報については、図３のステップ２０２の説明において詳述する。フォトサーバー１０は、子から新しい写真記憶媒体３からの写真データが送信されたら、所定のルールに従い古い写真データを顧客データベース１１から消去する。顧客データベース１１に新しい写真データが送信され、顧客データベース１１の記録内容が更新された場合、フォトサーバー１０は、顧客データベース１１に記録されているすべての、もしくは予め定めた親や親戚の無線通信モジュール２１に「更新あり」を示す情報を送信する。
【００１２】
また、親は、子から送付され無線通信モジュール２１の装填された電子写真立て３５の電源プラグ４０を親宅１４の電源コンセントに接続する。これによって、無線通信モジュール２１がモジュール固体識別番号２９や自電話番号３１および写真転送開始などの情報を無線通信によって固定基地局１３およびインターネット１２を経由させてフォトサーバー１０に送信する。これら情報を送信するきっかけは、フォトサーバー１０からの「更新あり」の情報を受信した際でも良い。
【００１３】
この情報を受信したフォトサーバー１０は、モジュール固体識別番号２９から顧客割当区域の顧客データベース１１を選択し、その顧客データベース１１から写真データをインターネット１２および固定基地局１３を経由させて親の無線通信モジュール２１に送信する。これに伴い、電子写真立て３５がフォトサーバー１０から送信された写真データをスライドショー表示する。ここで述べるスライドショー表示とは、写真データが複数の画像からなる場合、１つの画像を所定時間表示し、その後自動的に次の画像を表示していくというものである。
【００１４】
このように、スライドショー表示は、１つの画像が例えば、１分ごとに変わるようになっているもので、この１つの画像の表示時間は１分以外の時間でもよい。また、１つの画像の表示時間は、人為操作で例えば３０秒、１分３０秒などのように変更できるようにしてもよいが、例えば１分のような１つの時間に変更できないように設定されていれば、電子写真立て３５のスライドショー表示を制御するための構成が簡単になるという利点がある。
【００１５】
そして、親が電子写真立て３５にスライドショー表示される写真データを見て、電子写真立て３５の表示する１つの画像が親の欲しい写真データの１つの画像になった場合、親が電子写真立て３５の注文スイッチ４２を例えば２秒間だけ長押しする。これに伴い、無線通信モジュール２１が注文情報を無線通信によって固定基地局１３およびインターネット１２を経由させてフォトサーバー１０に送信する。注文スイッチ４２の長押しの時間は、２秒間に限定されるものではない。
【００１６】
このように注文スイッチ４２が長押された場合に、無線通信モジュール２１が注文情報を送信するように構成されていれば、注文スイッチ４２が間違って長押し時間よりも少ない時間だけ押されても、無線通信モジュール２１が注文情報を送信することがなく、注文間違いが発生しないようにすることができる。
【００１７】
注文情報を受信したフォトサーバー１０は、顧客割当区域の顧客データベース１１から注文情報に対応する写真データを抽出してインターネット１２で注文連絡先としてのＤＰＥ店コンピュータ８に送信する。これによって、焼付機９がフォトサーバー１０から送信された写真データを印画紙に焼き付けて写真を作成する。その後、親がＤＰＥ店７に出向き、写真の代金を支払い、写真を受け取り自宅に帰る。
【００１８】
このフォトサービスシステムは、無線通信モジュール２１と電子写真立て３５とからなる写真注文端末装置を子が購入して親に送り、親が子から送られた電子写真立て３５の電源プラグ４０を親宅１４の電源コンセントに接続すると、あるいは、子が顧客データベース１１上の写真を追加、更新すると、無線通信モジュール２１がフォトサーバー１０の顧客割当区域の顧客データベース１１に存在する写真データをフォトサーバー１０からダウンロードして電子写真立て３５にスライドショー表示するので、親が難しい操作を行うことなく、親が電源プラグ４０を親宅１４の電源コンセントに差し込むだけで、子から親に見せたい孫などの写真が電子写真立て３５にスライドショー表示されるという利点がある。
【００１９】
そして、親が電子写真立て３５にスライドショー表示される写真データを見て、電子写真立て３５の表示する１つの画像が親の欲しい写真データの１つの画像になった場合、親が電子写真立て３５の注文スイッチ４２を押すと、ＤＰＥ店７の焼付機９がフォトサーバー１０から送信された写真データから写真を作成し、親がＤＰＥ店７で写真を受け取れるので、親が難しい操作を行うことなく、親が注文スイッチ４２を押すだけで自分の欲しい写真をＤＰＥ店７で受け取ることできるという利点がある。
【００２０】
つまり、このフォトサービスシステムは、写真を提供する供給者と写真を提供される受容者とが子と親とに分かれている。そして、子が親に見せたい写真データをフォトサーバー１０に自分の都合に合わせて寄託しておき、このフォトサーバー１０に寄託された写真データが電子写真立て３５にスライドショー表示された状態において、親が自分の好みに合わせて注文スイッチ４２を押すだけで自分の欲しい写真をＤＰＥ店７で受け取る形態に構成されているので、親が自分の欲しい子や孫達の写真を容易に入手できるという利点がある。無線通信モジュール２１と電子写真立て３５とからなる写真注文端末装置は、ＤＰＥ店７に写真の焼付けを注文する道具として見ることができる。
【００２１】
図２を参照し、無線通信モジュール２１を電子写真立て３５に挿入する態様の写真注文端末装置について説明する。先ず、写真注文端末装置の構成について説明すると、無線通信モジュール２１は、ＰＣカードやＳＩＭカードなどのカード形の容器に、モジュールインターフェース２２、アンテナ２３、送受信部２４、モジュール制御部２５を備える。
【００２２】
モジュール制御部２５は、モジュール制御部２５に内蔵したコンピュータのＣＰＵ２６がフラッシュメモリ２７に格納されたプログラムにしたがいＲＡＭ２８を使用しながら通信ネットワークを利用する通信ルールであるプロトコルに則って動作して送受信部２４を制御することによって、送受信部２４がアンテナ２３で無線通信用の電波を送受信する。
【００２３】
フラッシュメモリ２７は、フラッシュＲＯＭを構成する。フラッシュメモリ２７には、モジュール固体識別番号２９や電話帳３０などが記録されている。電話帳３０には、自電話番号３１が記録される。
【００２４】
一方、電子写真立て３５は、フォトフレームなどの容器に、端末インターフェース３６、スロット３７、ディスプレイ３８、脚立３９、電源プラグ４０、電源回路４１、注文スイッチ４２、端末制御部４３を備える。端末制御部４３は、端末制御部４３に内蔵したコンピュータのＣＰＵ４４がフラッシュメモリ４５に格納されたプログラムにしたがいＲＡＭ４６を使用しながら通信ネットワークを利用する通信ルールであるプロトコルに則って動作することによって、ディスプレイ表示処理などを実行してディスプレイ３８を制御する。
【００２５】
フラッシュメモリ４５は、フラッシュＲＯＭを構成する。この最良の形態におけるフラッシュメモリ４５にはインターネット１２（図１参照）を利用して写真の焼付けの注文をするためのプログラムが格納されている。そのプログラムは、無線通信モジュール２１が電子写真立て３５に挿し込まれると、無線通信モジュール２１の無線通信機能で図１に示すフォトサーバー１０の顧客割当区域の顧客データベース１１に接続され、その顧客データベース１１に存在する写真データをインターネット１２および無線通信モジュール２１を経由して電子写真立て３５にダウンロードし、ダウンロードした写真データを電子写真立て３５のフラッシュメモリ４５に保存し、保存した写真データを電子写真立て３５のディスプレイ３８に画像としてスライドショー表示し、スライドショー表示のうちの１つの画像が注文スイッチ４２のオン動作によって印画紙に焼き付けられた写真として作成されるためのプログラムである。
【００２６】
図２において、上記インターネット１２を利用して写真の焼付けの注文をするためのプログラムには、フラッシュメモリ４５の容量が写真データで満杯になった後に、次の写真データが供給されると、その供給に合わせて古いデータから順にフラッシュメモリ４５から消去すること、フラッシュメモリ４５にインストールされた写真データを例えば２回続けてスライドショー表示したらスライドショー表示を一旦消し、その数時間後に、スライドショー表示を再開するというように、定期的に繰り返し実行することもプログラミングされている。
【００２７】
図２において、写真注文端末装置の動作について説明する。無線通信モジュール２１が電子写真立て３５の外部からスロット３７を経由して電子写真立て３５の内部に挿入されると、モジュールインターフェース２２と端末インターフェース３６とが互いに接続される。
【００２８】
また、電源プラグ４０が図外の家庭内の電源コンセントに接続されると、電源回路４１で変換された直流の電力が電源回路４１からモジュール制御部２５と端末制御部４３とに供給され、モジュール制御部２５と端末制御部４３との間でのデータ交換、ユーザー認証、ディスプレイ表示などの処理が正規に終了し、写真注文端末装置としてのフォトサービス処理が開始される。
【００２９】
端末制御部４３のフォトサービス処理が始まると、ステップ１０１において電源オンか否かを判定する。そして、端末制御部４３が起動した状態の場合、ステップ１０１がＹＥＳとなり、ステップ１０２に進む。ステップ１０２では、写真をスライドショー表示する処理が実行され、ステップ１０３に進む。ステップ１０３では、注文か否かを判定する。
【００３０】
そして、注文スイッチ４２がユーザーである例えば親に長押しされ、そのオン信号が注文スイッチ４２から端末制御部４３に入力されると、端末制御部４３が焼付けの発注をモジュール制御部２５に転送し、モジュール制御部２５が送受信部２４を作動し、送受信部２４がアンテナ２３から無線通信によって焼付けの発注を出力する。
【００３１】
写真注文端末装置のインターネット１２（図１参照）を利用してフォトサーバー１０（図１参照）と無線通信を行う機能が、アンテナ２３や送受信部２４およびモジュール制御部２５を有する無線通信モジュール２１と、無線通信モジュール２１を抜き差し可能とした電子写真立て３５と、電子写真立て３５に無線通信モジュール２１が挿入されることによってモジュール制御部２５を制御する端末制御部４３とを備えたので、電子写真立て３５の無線通信モジュール２１を挿入する部分であるスロット３７や端末インターフェース３６が同じ形状に構成されることによって、電子写真立て３５のディスプレイ３８の周りの形状が別の形状に構成されたものを使用することができるという利点がある。
【００３２】
図３乃至図７を参照し、子が親に孫の写真を提供するフォトサービスシステムを用いたフォトサービス方法について説明する。先ず、図３において、ステップ２０１では、子が自分の近所における販売店４もしくは、インターネット１２上のオンライン店舗で電子写真立て３５とモジュール固体識別番号２９の書き込まれた無線通信モジュール２１とからなる写真注文端末装置を購入し、ステップ２０２に進む。
【００３３】
ステップ２０２では、販売店４の店員によって操作された販売店コンピュータ５が子の顧客情報１５やモジュール固体識別番号２９をインターネット１２でフォトサーバー１０に送信する。
【００３４】
自電話番号３１は、無線通信モジュール２１を購入する子と通信事業者との契約によって通信事業者から当該無線通信モジュール２１に付与された変更可能な電話番号である。顧客情報１５は、自電話番号３１、注文連絡先３２、子識別情報５５などの情報を備える。注文連絡先３２は、子が写真注文端末装置を送る親宅１４の住所や固定電話番号あるいは携帯電話番号、当該親の近所のＤＰＥ店７の住所や固定電話番号などの情報である。子識別情報５５は、無線通信モジュール２１を購入した子宅１の住所や固定電話番号あるいは携帯電話番号などの識別情報である。
【００３５】
次に、ステップ２０３において、フォトサーバー１０は、販売店コンピュータ５から送信された顧客情報１５によってフォトサーバー１０のデータ記憶装置に顧客割当区域を設置し、その顧客割当区域に顧客データベース１１を作り、この顧客データベース１１の創設されたことを子宅コンピュータ２に送信する。その後、子が購入した写真注文端末装置を、例えば子夫婦の両方の親や親戚に送付する。
【００３６】
ステップ２０３で作成された顧客データベース１１は、子識別情報欄４９、顧客割当区域欄５０、ＰＳＩＤ欄５１、子識別情報５５、注文欄５３を備える。この時点における顧客データベース１１は、写真データ欄５２および注文欄５３に何の情報も記録されておらず、子識別情報欄４９に子識別情報５５が記録され、顧客割当区域欄５０に顧客割当区域情報５６が記録され、ＰＳＩＤ欄５１にモジュール固体識別番号２９が記録されている。ＰＳＩＤ欄５１には、上段、中段、下段からなる３個の記録領域を設けた例を図示したが、記録領域の個数は３個に限定されるものではない。
【００３７】
例えば、ＰＳＩＤ欄５１の上段に記載した「××」は、子夫婦のうちの夫の親に送付する写真注文端末装置における無線通信モジュール２１のモジュール固体識別番号２９、当該夫の親の住所や電話番号および当該夫の親の近所のＤＰＥ店７を特定する情報からなる注文連絡先３２を表す。
【００３８】
ＰＳＩＤ欄５１の中段に記載した「○○」は、子夫婦のうちの妻の親に送付する写真注文端末装置における無線通信モジュール２１のモジュール固体識別番号２９、当該妻の親の住所や電話番号および当該妻の親の近所のＤＰＥ店７を特定する情報からなる注文連絡先３２を表す。
【００３９】
ＰＳＩＤ欄５１の下段に記載した「△△」は、子夫婦の親戚に送付する写真注文端末装置における無線通信モジュール２１のモジュール固体識別番号２９、当該親戚の住所や電話番号および当該親戚の近所のＤＰＥ店７を特定する情報からなる注文連絡先３２を表す。
【００４０】
次に、図４において、ステップ２０４では、子が子宅コンピュータ２を操作して写真記憶媒体３の写真データ５７および子識別情報５５をインターネット１２でフォトサーバー１０に送信し、ステップ２０５に進む。
【００４１】
ステップ２０５では、フォトサーバー１０が子識別情報５５から顧客割当区域の顧客データベース１１を特定し、その顧客データベース１１の写真データ欄５２にステップ２０４で送信された写真データ５７を記録し、ステップ２０６に進む。ステップ２０６では、親が子から送付された無線通信モジュール２１の装填された電子写真立て３５の電源プラグ４０を親宅１４の電源コンセントに接続し、図５に進む。
【００４２】
図５において、ステップ２０７では、無線通信モジュール２１が自電話番号３１もしくはモジュール固体識別番号２９を無線通信によってインターネット１２でフォトサーバー１０に送信して、無線通信回線を設定する。その設定された無線通信回線を利用して、無線通信モジュール２１が写真転送開始情報６８やモジュール固体識別番号２９をフォトサーバー１０に送信し、ステップ２０８に進む。
【００４３】
ステップ２０８では、フォトサーバー１０が無線通信モジュール２１から送信された自電話番号３１によって顧客割当区域の顧客データベース１１を選択し、その顧客データベース１１に記録された写真データ５７をインターネット１２で親の無線通信モジュール２１に送信し、ステップ２０９に進む。
【００４４】
ステップ２０９では、送信され写真データ５７が親の電子写真立て３５のフラッシュメモリ４５に記録され、電子写真立て３５がフラッシュメモリ４５における写真データ５７をディスプレイ３８にスライドショー表示で表示し、ステップ２１０に進む。
【００４５】
ステップ２１０では、親がディスプレイ３８にスライドショー表示される写真を見て、ディスプレイ３８の表示画像が親の欲しい写真データの１つの画像になった場合、親が電子写真立て３５の注文スイッチ４２を長押しする。これに伴い、無線通信モジュール２１が注文情報５８を無線通信によってインターネット１２でフォトサーバー１０に送信する。この注文情報５８は、注文スイッチ４２の押された写真データ番号とモジュール固体識別番号２９と自電話番号３１と注文連絡先３２などの情報を備える。その後、図６に進む。
【００４６】
図６において、ステップ２１１では、フォトサーバー１０が上記注文情報５８に含まれる自電話番号３１もしくはモジュール固体識別番号２９の情報からフォトサーバー１０のデータ記憶装置における顧客割当区域の顧客データベース１１を特定し、その顧客データベース１１の注文欄５３に注文情報５８を記録する。注文欄５３には、上段、中段、下段からなる３個の記録領域を設けた例を図示したが、記録領域の個数は３個に限定されるものではない。
【００４７】
例えば、注文欄５３の上段に記載した「◇◇◇」は、子夫婦のうちの夫の親の無線通信モジュール２１からの写真データ識別番号を含む注文情報５８を表す。注文欄５３の中段に記載した「○◇○」は、子夫婦のうちの妻の親の無線通信モジュール２１からの写真データ識別番号を含む注文情報５８を表す。注文欄５３の下段に記載した「○×○」は、子夫婦の親戚の無線通信モジュール２１からの写真データ識別番号を含む注文情報５８を表す。
【００４８】
その後、ステップ２１２では、フォトサーバー１０が親からの注文を受けたことを表す返事をインターネット１２経由で親の無線通信モジュール２１に送信し、ステップ２１３に進む。ステップ２１３では、親が電子写真立て３５の注文スイッチ４２を注文する時よりも長い時間だけ長押しすると、無線通信モジュール２１が注文終了情報をインターネット１２でフォトサーバー１０に送信し、図７に進む。なお、注文終了情報の送信は、上記のような手順を経ずとも、例えば、一定の時間が経過すると自動的に送信されてもよい。
【００４９】
図７において、ステップ２１４では、フォトサーバー１０が上記ステップ５５で受けた注文情報５８によって顧客割当区域の顧客データベース１１を選択し、その選択した顧客データベース１１から注文情報５８の写真データ番号に対応する写真データ５７と注文連絡先３２を特定し、その特定した写真データ５７をその特定した注文連絡先３２のＤＰＥ店コンピュータ８にインターネット１２で送信し、ステップ２１５に進む。
【００５０】
ステップ２１５では、ＤＰＥ店コンピュータ８が写真収容袋に親の住所や電話番号などを記載するとともに焼付機９を制御し、焼付機９が写真データ番号に対応する写真データ５７を印画紙に焼き付けた写真５９を作成し、ＤＰＥ店７の店員が上記作成された写真５９を上記作成された写真収容袋に入れて待機する。その後、ステップ２１６において、親がＤＰＥ店７に出向き、その代金を支払い、写真の入った写真収容袋を受け取り、自宅に帰る。
【００５１】
図８を参照し、図５のステップ２１０乃至図６のステップ２１２での顧客データベース１１とディスプレイ３８との表示処理の関係について詳述する。顧客データベース１１における写真データ欄５２の上段には写真データＮｏ．１の写真データが記録され、写真データ欄５２の中段には写真データＮｏ．２の写真データが記録され、写真データ欄５２の下段には写真データＮｏ．３の写真データが記録されている。また、顧客データベース１１における注文欄５３が注文フラグ欄６１、受注フラグ欄６２、焼付完了フラグ欄６３に区分されている。
【００５２】
そして、注文情報５８とそれに伴う顧客データベース１１での記録状態変化とディスプレイ３８での表示態様変化とについ説明する。先ず、ステップ３０１は、顧客データベース１１の写真データ欄５２の写真データＮｏ．１の写真データが１つの画像としてディスプレイ３８に表示された状態である。
【００５３】
そのステップ３０１の状態において、親が注文スイッチ４２を長押しすると、写真データＮｏ．１の１つの画像の表示されたディスプレイ３８の下部に注文表示６５が点滅状態で表示される。これに伴う注文情報５８が電子写真立て３５の側からフォトサーバー１０に送信されることによって、顧客データベース１１における写真データ欄５２の上段に対応する注文フラグ欄６１に注文情報５８を受信したことを意味するフラグの態様を示すデジタル信号の「１」が記録される。その後、フォトサーバー１０が注文を受けたことの返事を電子写真立て３５の側に送信することによって、写真データＮｏ．１の１つの画像の表示されたディスプレイ３８の注文表示６５が点灯状態で表示される。
【００５４】
そして、フォトサーバー１０が注文された写真データをＤＰＥ店コンピュータ８に焼付けするように送信することよって、顧客データベース１１における写真データ欄５２の上段に対応する受注確認フラグ欄５８に受注確認情報を受信したことを意味するフラグの態様を示すデジタル信号の「１」が記録される。これに伴い、当該記憶されたデジタル信号の「１」に相当する信号をフォトサーバー１０が電子写真立て３５の側に送信することによって、写真データＮｏ．１の１つの画像の表示されたディスプレイ３８の下部に受注確認表示６６が点灯状態で表示される。
【００５５】
その後、ＤＰＥ店コンピュータ８が注文の写真データの焼付けが終了したことをフォトサーバー１０に連絡することによって、顧客データベース１１における写真データ欄５２の上段に対応する焼付完了フラグ欄６３に焼付完了情報を受信したことを意味するフラグの態様を示すデジタル信号の「１」が記録される。これに伴い、当該記憶されたデジタル信号の「１」に相当する信号をフォトサーバー１０が電子写真立て３５の側に送信することによって、写真データＮｏ．１の１つの画像の表示されたディスプレイ３８の焼付完了表示６７が点灯状態で表示される。
【００５６】
次に、ステップ３０２は、顧客データベース１１の写真データ欄５２の写真データＮｏ．２の写真データが１つの画像としてディスプレイ３８に表示されており、そのディスプレイ３８に表示された写真データＮｏ．２の写真データが１つの画像を見ている親が注文をしない状態である。よって、顧客データベース１１における写真データ欄５２の中段に対応する注文フラグ欄６１、受注確認フラグ欄５８、焼付完了フラグ欄６３のそれぞれに注文情報、受注確認情報、焼付完了情報を受信していないことを意味するフラグの態様を示すデジタル信号の「０」が記録されている。そして、写真データＮｏ．１の１つの画像の表示されたディスプレイ３８の下部にはステップ３０１に示す注文表示６５や受注確認表示６６および焼付完了表示６７が表示されていない。
【００５７】
さらに、ステップ３０２は、顧客データベース１１の写真データ欄５２の写真データＮｏ．２の写真データが１つの画像としてディスプレイ３８に表示されており、親が注文スイッチ４２を押して注文を行った態様である。よって、顧客データベース１１における写真データ欄５２の下段に対応する注文フラグ欄６１、受注確認フラグ欄５８、焼付完了フラグ欄６３のそれぞれに注文情報、受注確認情報、焼付完了情報を受信したことを意味するフラグの態様を示すデジタル信号の「１」が順次記録されている。そして、写真データＮｏ．１の１つの画像の表示されたディスプレイ３８の下部にはステップ３０１に示す注文表示６５や受注確認表示６６および焼付完了表示６７が表示されている。これら顧客データベース１１へのデジタル信号の「１」の記録動作と、ディスプレイ３８への注文表示６５や受注確認表示６６および焼付完了表示６７の表示動作とは、ステップ３０１での説明を参照すれば明らかであろう。
【００５８】
図８に示すように、注文表示６５や受注確認表示６６がディスプレイ３８に表示されれば、注文者である親は注文スイッチ４２を操作した自分の操作が適切であったことを把握して安心することができる。また、焼付完了表示６７がディスプレイ３８に表示されれば、注文者である親は写真を受け取りに出かける時期を適切に把握することができるという利点がある。
【００５９】
注文表示６５、受注確認表示６６、焼付完了表示６７などの表示態様は、チェック印、文字、その他の記号などでよい。
【産業上の利用可能性】
【００６０】
上記発明を実施するため最良の形態の説明において、子を親戚としてもよく、親を親戚としてもよい。
【図面の簡単な説明】
【００６１】
【図１】フォトサービスシステムの模式図（最良の形態）。
【図２】写真注文端末装置の分解斜視図（最良の形態）。
【図３】フォトサービス方法のフローチャート（最良の形態）。
【図４】フォトサービス方法のフローチャート（最良の形態）。
【図５】フォトサービス方法のフローチャート（最良の形態）。
【図６】フォトサービス方法のフローチャート（最良の形態）。
【図７】フォトサービス方法のフローチャート（最良の形態）。
【図８】顧客データベースとディスプレイとの表示処理の図表（最良の形態）。
【図９】フォトサービスシステムの模式図（従来）。
【図１０】フォトサービスシステムのフローチャート（従来）。
【符号の説明】
【００６２】
１は子宅、２は子宅コンピュータ、４は販売店、５は販売店コンピュータ、６は欠番、７はＤＰＥ店、８はＤＰＥ店コンピュータ、９は焼付機、１０はフォトサーバー、１１は顧客データベース、１２はインターネット、１３は固定基地局、１４は親宅、１５は顧客情報、１６乃至２０は欠番、２１は無線通信モジュール、２２はモジュールインターフェース、２３はアンテナ、２４は送受信部、２５はモジュール制御部、２６はＣＰＵ、２７はフラッシュメモリ、２８はＲＡＭ、２９はモジュール固体識別番号、３０は電話帳、３１は自電話番号、３２は注文連絡先、３３；３４は欠番、３５は電子写真立て、３６は端末インターフェース、３７はスロット、３８はディスプレイ、３９は脚立、４０は電源プラグ、４１は電源回路、４２は注文スイッチ、４３は端末制御部、４４はＣＰＵ、４５はフラッシュメモリ、４６はＲＡＭ、４７；４８は欠番、４９は子識別情報欄、５０は顧客割当区域欄、５１はＰＳＩＤ欄、５２は写真データ欄、５３は注文欄、５４は欠番、５５は子識別情報、５６は顧客割当区域情報、５７は写真データ、５８は注文情報、５９は写真、６０は欠番、６１は注文フラグ欄、６２は受注フラグ欄、６３は焼付完了フラグ欄、６４は欠番、６５は注文表示、６６は受注確認表示、６７は焼付完了表示、６８写真転送開始情報、６９；７０は欠番、７１はコンピュータ。
【図１】
2010109489.tif 000003
【図２】
2010109489.tif 000004
【図３】
2010109489.tif 000005
【図４】
2010109489.tif 000006
【図５】
2010109489.tif 000007
【図６】
2010109489.tif 000008
【図７】
2010109489.tif 000009
【図８】
2010109489.tif 000010
【図９】
2010109489.tif 000011
【図１０】
2010109489.tif 000012
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
写真データを送信する写真データ送信用コンピュータと、この写真データ送信用コンピュータから送信された写真データを写真注文端末特定情報ごとに記録するフォトサーバーと、写真注文端末特定情報をフォトサーバーに送信する端末特定情報送信用コンピュータと、フォトサーバーから送信された写真データを表示する写真注文端末装置と、この写真注文端末装置に表示された写真データの画像に対する注文情報及び写真注文端末特定情報を送信するスイッチと、このスイッチの操作により受信した注文情報及び写真注文端末特定情報に対応する写真データをフォトサーバーから抽出して紙に写真として表示する写真印刷用コンピュータとを備えたことを特徴とするフォトサービスシステム。
【請求項２】
端末特定情報送信用コンピュータが写真注文端末特定情報をフォトサーバーに送信すると共に写真データ送信用コンピュータが写真データを送信し、フォトサーバーは写真データ送信用コンピュータから送信された写真データを写真注文端末特定情報ごとに記録し、このフォトサーバーが写真注文端末装置から写真転送開始を受信すると、フォトサーバーが写真転送開始を受信した写真注文端末装置に写真データを送信し、この写真注文端末装置がフォトサーバーから送信された写真データを画像として表示し、スイッチが写真注文端末装置に表示された写真データの画像に対する注文情報及び写真注文端末特定情報を写真印刷用コンピュータに送信すると、写真印刷用コンピュータがスイッチの操作により受信した注文情報及び写真注文端末特定情報に対応する写真データをフォトサーバーから抽出して紙に写真として表示することを特徴とするフォトサービス方法。
【請求項３】
写真データを記憶するメモリと、このメモリに記憶された写真データを表示するディスプレイと、メモリに記憶された写真データを紙に表示するように指示するスイッチとを備えたことを特徴とする写真注文装置。
【手続補正３】
【補正対象書類名】明細書
【補正対象項目名】０００１
【補正方法】変更
【補正の内容】
【０００１】
本発明は、所望する写真を容易に入手できるフォトサービスシステム、フォトサービス方法、写真注文端末装置に関する。
【手続補正４】
【補正対象書類名】明細書
【補正対象項目名】０００４
【補正方法】変更
【補正の内容】
【０００４】
本発明に係るフォトサービスシステムとフォトサービス方法及び写真注文端末装置は、例えば、写真を提供しようとする供給者がフォトサーバーに写真データを記録させ、写真注文端末装置がフォトサーバーから送信された写真データを画像として表示し、写真の提供を受ける受給者がスイッチを操作することによって紙に表示された写真として受け取ることができるようにすることを最も主要な特徴とする。
【手続補正５】
【補正対象書類名】明細書
【補正対象項目名】０００５
【補正方法】変更
【補正の内容】
【０００５】
本発明に係るフォトサービスシステムとフォトサービス方法および写真注文端末装置によれば、受給者が供給者から提供される写真データの中から受給者の意志によって選んだ写真を受け取ることができるという利点がある。